(57)【要約】【課題】検査ピンにみの虫クリップをつかみやすく、容易に外れない端子台を提供すること。【解決手段】電子基板と接続するための端子台金具１と、端子台金具１に、みの虫クリップ等で容易に挟めるために設けられた検査ピン２と、端子台金具１に設けた通信用ケーブルを固定する座金３と、座金３を固定するビス４と、端子台金具１を複数個固定する絶縁部材５からなることを特徴とする端子台１０としたものである。これによって、検査ピン２の位置が固定されるため容易にみの虫クリップが取り付けできる。【選択図】図１
2014143122.tif 000002
【特許請求の範囲】
【請求項１】
電子基板と接続するための端子台金具と、
前記端子台金具より延出された検査ピンと、
前記端子台金具に通信用ケーブルを固定するビスと、
前記端子台金具を固定する絶縁部材とを備えた端子台。
【請求項２】
前記端子台金具と、前記検査ピンは絶縁壁で隔てられていることを特徴とする請求項１に記載の端子台。
【請求項３】
前記検査ピンの終端高さを前記絶縁壁の高さと略同一としたことを特徴とする請求項１または２に記載の端子台。
【請求項４】
前記検査ピンは、前記絶縁部材の最外寸法より内側にあることを特徴とする請求項１から請求項３のいずれか１項に記載の端子台。
【請求項５】
前記端子台金具を複数個隣接して前記絶縁部材に固定し、端に位置する前記端子台金具の前記検査ピンの延出方向を隣接方向の外向きとしたことを特徴とする請求項１〜４のいずれか１項に記載の端子台。
【発明の詳細な説明】
【技術分野】
【０００１】
本発明は、電気設備の現地試験、保守点検、予防保全を行う電子基板に設けた端子台に関する。
【背景技術】
【０００２】
従来この種の電子基板等に用いる端子台は、例えば図５に示すように、端子台１１の端子ビス１３の座金を舌付座金１４とし、試験装置のリード線２３ａのみの虫クリップ１７等で容易に舌１８を挟み、電気的な接続を安定して確保し、みの虫クリップ１７が外れないようにしている（例えば、特許文献１参照）。
【先行技術文献】
【特許文献】
【０００３】
【特許文献１】特開２００６−３２４１５８号公報
【発明の概要】
【発明が解決しようとする課題】
【０００４】
しかしながら、前記従来の構成では、舌付の座金を用いた端子台１１の場合、端子ビス１３を締め付けた時に舌付座金１４の構成によっては、舌付座金１４が回転してしまい舌１８の位置が固定できないという課題があった。
【０００５】
また、舌付および突起付座金を用いることで、制御ケーブル１５を取り付ける場合に作業性が悪いという課題もあった。
【０００６】
本発明は、前記従来の課題を解決するもので、端子台に設けたみの虫クリップを取り付ける、検査ピンの構成を改善し、検査ピンをみの虫クリップでつかみやすくし、かつ、虫クリップが容易に外れないようにすることを目的とする。
【課題を解決するための手段】
【０００７】
上記課題を解決するために、本発明の端子台は、電子基板と接続するための端子台金具と、前記端子台金具より延出された検査ピンと、前記端子台金具に通信用ケーブルを固定するビスと、前記端子台金具を固定する絶縁部材とを備えたことを特徴とするものである。
【０００８】
これによって、検査ピンの位置が固定されるため容易にみの虫クリップが取り付けできる。
【発明の効果】
【０００９】
本発明の端子台は、端子台金具に検査ピンを設け、絶縁部材の最外寸法より内側にあることによって、端子台の検査ピンの位置が固定され、みの虫クリップを取り付ける時の作業性が容易になるとともに、抜けにくくすることが可能となる。
【図面の簡単な説明】
【００１０】
【図１】本発明の実施の形態１における端子台の断面図
【図２】本発明の実施の形態１における端子台の平面図
【図３】本発明の実施の形態１における端子台の斜視図
【図４】本発明の実施の形態２における端子台の斜視図
【図５】従来の端子台を示す断面図
【発明を実施するための形態】
【００１１】
第１の発明は、電子基板と接続するための端子台金具と、前記端子台金具より延出された検査ピンと、前記端子台金具に通信用ケーブルを固定するビスと、前記端子台金具を固定する絶縁部材とを備えたものであり、これによって、検査ピンの位置が固定されるため容易に、みの虫クリップが取り付けできる。
【００１２】
第２の発明は、特に第１の発明において、前記端子台金具と、前記検査ピンは絶縁壁で隔てられていることを特徴とするものであり、これによって、端子台に制御ケーブルを取り付ける作業性が容易にできる。
【００１３】
第３の発明は、特に第１または２の発明において、前記検査ピンの終端高さを前記絶縁壁の高さと略同一としたことを特徴とするものであり、これによって、検査ピンの位置が明確になるため容易に、みの虫クリップが取り付けできる。
【００１４】
第４の発明は、特に第１〜３のいずれか１つの発明において、前記検査ピンは、前記絶縁部材の最外寸法より内側にあることを特徴とするものであり、これによって、端子台の外周にパッキン等を設ける場合に、パッキン等が挿入しやすく検査ピンに、みの虫クリップを取り付ける時の作業性も容易にすることができる。
【００１５】
第５の発明は、特に第１〜４のいずれか１つの発明において、前記端子台金具を複数個隣接して前記絶縁部材に固定し、端に位置する前記端子台金具の前記検査ピンの延出方向を隣接方向の外向きとしたことを特徴としたものであり、これによって、検査ピン間が広くなるため、みの虫クリップを取り付けるのが容易になる。
【００１６】
以下、本発明の実施の形態について、図面を参照しながら説明する。なお、本実施の形態によって本発明が限定されるものではない。
【００１７】
（実施の形態１）
図１は、本発明の実施の形態１における端子台の断面図、図２は同平面図を示している。
【００１８】
図１において、端子台金具１は絶縁部材５に挿入して固定されている。絶縁部材５は、電気的導通性のない材料を用いており、例えばＰＢＴ等でガラス繊維を配合してある材料で樹脂成型されたものでもよい。
【００１９】
端子台金具１には、図示していない制御ケーブルを固定するための座金３とビス４が取り付けられている。座金３とビス４は、電気的導通性のある材料で、例えば黄銅に銅メッキをし、更にニッケルメッキされたものでもよい。
【００２０】
検査ピン２は端子台金具１と一体化で構成されている。端子台金具１と検査ピン２は、電気的導通性のある材料を用いており、例えば黄銅にニッケルメッキをし、更にスズメッキされたものでもよい。
【００２１】
また、ビス４と検査ピン２は、絶縁部材５に形成された絶縁壁６により仕切られている。
【００２２】
絶縁部材５の最外部と検査ピン２の間にはピン段差ａを設けてあり、ピン段差ａは０ｍｍ以上に設定することで、検査ピン２が絶縁部材５より突出しないように構成してある。
【００２３】
また、絶縁壁６と検査ピン２のにもＺ方向にピン隙間ｂを設けており、Ｘ方向にはＸ方向ピン段差ｃが設けられている。ピン段差ｃについては、０ｍｍ以下としている。
【００２４】
そして、図２に示すように、端子台１０は、複数の端子台金具１が絶縁部材５に一列に配置されており、必要な端子数を確保できるように構成されている。
【００２５】
図３は、本実施の形態における端子台の斜視図を示している。
【００２６】
図３において、ビス４の周囲には絶縁壁６を設けており、検査ピン２はそれぞれ絶縁壁６を隔てて、外側に突出しており、先端をＴ字状に形成することで、みの虫クリップ等で掴みやすく、外れ難い形状としている。
【００２７】
以上の構成により、検査ピン２を図示していない、みの虫クリップで摘まむとき、絶縁壁６ａ面を滑らせるとともに、絶縁部材５ａ面に当てながら取り付けることで、みの虫クリップの取り付け作業性が向上できる。
【００２８】
（実施の形態２）
図４は、本発明の実施の形態２における端子台の斜視図を示している。
【００２９】
図４において、ビス４ａ、４ｂの周囲には絶縁壁６を設けており、検査ピン２ａ、２ｂはそれぞれ絶縁壁６を隔てて、外側に突出している。
【００３０】
検査ピン２ａはＺ方向に突出しており、検査ピン２ｂは検査ピン２ａと９０度方向が異なる、Ｙ方向に突出している。
【００３１】
絶縁部材５と検査ピン２ｂの間には図１で示してある、ピン段差ａと同様の図示していない段差を設けている。
【００３２】
そして、検査ピン２ｂの延出方向は、端子台金具１ａ、端子台金具１ｂの隣接方向（Ｙ方向）の外向きとしている。即ち、端子台金具１ａの検査ピン２ａと端子台金具１ｂの検査ピン２ｂの延出方向は９０度方向が異なるため、みの虫クリップ等を各検査ピン２ａ、２ｂに取り付けても、狭い空間においても距離が確保でき、お互い接触することなく取り付けが可能となる。
【産業上の利用可能性】
【００３３】
以上のように、本発明にかかる端子台は、検査ピンの位置が固定され、みの虫クリップを取り付ける時の作業性が容易になるとともに、抜けにくくなるため、電気設備の現地試験、保守点検、予防保全を行う電子基板等の用途に適用できる。
【符号の説明】
【００３４】
１、１ａ、１ｂ  端子台金具
２、２ａ、２ｂ  検査ピン
４、４ａ、４ｂ  ビス
５、５ａ  絶縁部材
６、６ａ  絶縁壁
【図１】
2014143122.tif 000003
【図２】
2014143122.tif 000004
【図３】
2014143122.tif 000005
【図４】
2014143122.tif 000006
【図５】
2014143122.tif 000007